(57)【要約】      （修正有）【課題】サーバー内の空間の利用を改善し、サーバーの開発及び製造費用を低減するサーバーを提供する。【解決手段】標準拡張カード２０及び低プロフィール拡張カード３０の少なくとも一方を備えるメインボード組立体２００は、ベースボード２１０、第一の拡張スロット２２０、第二の拡張スロット２３０、第三の拡張スロット２４０、及び切替回路２６０を含む。第二の拡張スロット２３０と第一のエッジ２１１との間は第一の距離Ｄ１であり、第二の拡張スロット２３０と第三の拡張スロット２４０との間は第二の距離Ｄ２であり、第一の距離Ｄ１及び第二の距離Ｄ２は標準拡張カード２０の幅よりも大きい。第一の拡張スロット２２０と第三の拡張スロット２４０との間は第三の距離Ｄ３であり、第三の距離Ｄ３は低プロフィール拡張カード３０の幅の二倍である。【選択図】図３
0003204552.tif 000002
【実用新案登録請求の範囲】
【請求項１】
標準拡張カード及び低プロフィール拡張カードの少なくとも一方を備え、前記標準拡張カードが第一の幅を有し、前記低プロフィール拡張カードが第二の幅を有し、前記第一の幅が前記第二の幅よりも大きいサーバーであって、
支持板、第一の側板、及び第二の側板を含むケースであって、前記第一の側板及び前記第二の側板が、互いと対向する前記支持板の二つの端部にそれぞれ接続されるケースと、
前記支持板上に配置されるメインボード組立体であって、
ベースボード、
前記ベースボード上に配置される第一の拡張スロット、
前記ベースボード上に配置される第二の拡張スロットであって、前記第一の拡張スロットが前記第二の拡張スロットと前記第一の側板との間に位置する第二の拡張スロット、
前記ベースボード上に配置される第三の拡張スロットであって、前記第二の拡張スロットが前記第一の拡張スロットと前記第三の拡張スロットとの間に位置する第三の拡張スロット、及び
前記第一の拡張スロット及び前記第二の拡張スロットに電気的に接続され、前記第一の拡張スロットと前記第二の拡張スロットとの間を切り替える切替回路、を含むメインボード組立体と、
を備え、
前記第二の拡張スロットと前記第一の側板との間は第一の距離であり、前記第一の拡張スロットと前記第三の拡張スロットとの間は第二の距離であり、前記第一の距離及び前記第二の距離は前記第一の幅よりも大きく、前記第一の拡張スロットと前記第三の拡張スロットとの間は第三の距離であり、前記第三の距離は前記第二の幅の二倍であるサーバー。
【請求項２】
第一のライザーカード及び第二のライザーカードを更に含み、
前記ケースの高さは１Ｕであり、
前記第一のライザーカード及び前記第二のライザーカードはそれぞれ前記第一の拡張スロット及び前記第三の拡張スロットに挿入され、
前記低プロフィール拡張カードは、前記第一の側板から離れた前記第一のライザーカードの側部或いは前記第一の側板に近い前記第二のライザーカードの側部に挿入可能である請求項１に記載のサーバー。
【請求項３】
第三のライザーカードを更に含み、
前記メインボード組立体は、第四の拡張スロットを更に含み、
前記第四の拡張スロットは、前記ベースボード上に配置され、前記第三の拡張スロットと前記第二の側板との間に位置され、
前記第三のライザーカードは、前記第四の拡張スロットに挿入され、
前記低プロフィール拡張カードは、前記第一の側板から離れた前記第三のライザーカードの側部に挿入可能である請求項２に記載のサーバー。
【請求項４】
前記第一の拡張スロットと前記第一の側板との間に位置する第一の電源を更に含む請求項３に記載のサーバー。
【請求項５】
前記第三の拡張スロットと前記第二の側板との間に位置する第二の電源を更に含む請求項４に記載のサーバー。
【請求項６】
前記第四の拡張スロットと前記第二の電源との間は第四の距離であって、前記第四の距離は前記第二の幅よりも大きく前記第一の幅よりも小さい請求項５に記載のサーバー。
【請求項７】
第一のライザーカード及び第二のライザーカードを更に含み、
前記ケースの高さは２Ｕであり、
前記第一のライザーカード及び前記第二のライザーカードはそれぞれ前記第一の拡張スロット及び前記第三の拡張スロットに挿入され、
前記標準拡張カードは、前記第一の側板から離れた前記第一のライザーカードの側部或いは前記第一の側板に近い前記第二のライザーカードの側部に挿入可能である請求項１に記載のサーバー。
【請求項８】
第三のライザーカードを更に含み、
前記メインボード組立体は、第四の拡張スロットを更に含み、
前記第四の拡張スロットは、前記ベースボード上に配置され、前記第三の拡張スロットと前記第二の側板との間に位置され、
前記第三のライザーカードは、前記第四の拡張スロットに挿入され、
前記低プロフィール拡張カードは、前記第一の側板から離れた前記第三のライザーカードの側部に挿入可能である請求項７に記載のサーバー。
【請求項９】
前記第一の拡張スロットと前記第一の側板との間に位置する第一の電源を更に含む請求項８に記載のサーバー。
【請求項１０】
前記第三の拡張スロットと前記第二の側板との間に位置する第二の電源を更に含む請求項９に記載のサーバー。
【請求項１１】
前記第四の拡張スロットと前記第二の電源との間は第四の距離であって、前記第四の距離は前記第二の幅よりも大きく前記第一の幅よりも小さい請求項１０に記載のサーバー。
【請求項１２】
前記第一の距離及び前記第二の距離はそれぞれ４．２インチよりも大きく、前記第三の距離は５．０７２インチよりも大きい請求項１に記載のサーバー。
【請求項１３】
標準拡張カード及び低プロフィール拡張カードの少なくとも一方を備え、前記標準拡張カードが第一の幅を有し、前記低プロフィール拡張カードが第二の幅を有し、前記第一の幅が前記第二の幅よりも大きいサーバーであって、
支持板、第一の側板、及び第二の側板を含むケースであって、前記第一の側板及び前記第二の側板が、互いと対向する前記支持板の二つの端部にそれぞれ接続されるケースと、
前記支持板上に配置されるメインボード組立体であって、
ベースボード、
前記ベースボード上に配置される第一の拡張スロット、
前記ベースボード上に配置される第二の拡張スロットであって、前記第一の拡張スロットが前記第二の拡張スロットと前記第一の側板との間に位置する第二の拡張スロット、
前記ベースボード上に配置される第三の拡張スロットであって、前記第二の拡張スロットが前記第一の拡張スロットと前記第三の拡張スロットとの間に位置する第三の拡張スロット、及び
前記第一の拡張スロット及び前記第二の拡張スロットに電気的に接続され、前記第一の拡張スロットと前記第二の拡張スロットとの間を切り替える切替回路、を含むメインボード組立体と、
を備え、
前記第二の拡張スロットと前記第一の側板との間は第一の距離であり、前記第一の距離は前記第一の幅よりも大きいサーバー。
【請求項１４】
第一のライザーカード及び第二のライザーカードを更に含み、
前記ケースの高さは１Ｕであり、
前記第一のライザーカード及び前記第二のライザーカードはそれぞれ前記第一の拡張スロット及び前記第三の拡張スロットに挿入され、
前記低プロフィール拡張カードは、前記第一の側板から離れた前記第一のライザーカードの側部或いは前記第一の側板に近い前記第二のライザーカードの側部に挿入可能である請求項１３に記載のサーバー。
【請求項１５】
第三のライザーカードを更に含み、
前記メインボード組立体は、第四の拡張スロットを含み、
前記第四の拡張スロットは、前記ベースボード上に配置され、前記第三の拡張スロットと前記第二の側板との間に位置され、
前記第三のライザーカードは、前記第四の拡張スロットに挿入され、
前記低プロフィール拡張カードは、前記第一の側板から離れた前記第三のライザーカードの側部に挿入可能である請求項１４に記載のサーバー。
【請求項１６】
第一のライザーカード及び第二のライザーカードを更に含み、
前記ケースの高さは２Ｕであり、
前記第一のライザーカード及び前記第二のライザーカードはそれぞれ前記第一の拡張スロット及び前記第三の拡張スロットに挿入され、
前記標準拡張カードは、前記第一の側板から離れた前記第一のライザーカードの側部或いは前記第一の側板に近い前記第二のライザーカードの側部に挿入可能である請求項１３に記載のサーバー。
【請求項１７】
第三のライザーカードを更に含み、
前記メインボード組立体は、第四の拡張スロットを更に含み、
前記第四の拡張スロットは、前記ベースボード上に配置され、前記第三の拡張スロットと前記第二の側板との間に位置され、
前記第三のライザーカードは、前記第四の拡張スロットに挿入され、
前記低プロフィール拡張カードは、前記第一の側板から離れた前記第三のライザーカードの側部に挿入可能である請求項１６に記載のサーバー。
【請求項１８】
前記第一の距離は４．２インチよりも大きい請求項１３に記載のサーバー。
【請求項１９】
標準拡張カード及び低プロフィール拡張カードの少なくとも一方を備え、前記標準拡張カードが第一の幅を有し、前記低プロフィール拡張カードが第二の幅を有し、前記第一の幅が前記第二の幅よりも大きいメインボード組立体であって、
互いと対向する第一のエッジ及び第二のエッジを有するベースボードであって、前記第一のエッジはサーバーのケースの側板の近くに位置するベースボードと、
前記ベースボード上に配置される第一の拡張スロットと、
前記ベースボード上に配置される第二の拡張スロットであって、前記第一の拡張スロットが前記第二の拡張スロットと前記第一のエッジとの間に位置する第二の拡張スロットと、
前記ベースボード上に配置される第三の拡張スロットであって、前記第二の拡張スロットが前記第一の拡張スロットと前記第三の拡張スロットとの間に位置する第三の拡張スロットと、
前記第一の拡張スロット及び前記第二の拡張スロットに電気的に接続され、前記第一の拡張スロットと前記第二の拡張スロットとの間を切り替える切替回路と、を備え、
前記第二の拡張スロットと前記第一のエッジとの間は第一の距離であり、前記第二の拡張スロットと前記第三の拡張スロットとの間は第二の距離であり、前記第一の距離及び前記第二の距離は前記第一の幅よりも大きく、前記第一の拡張スロットと前記第三の拡張スロットとの間は第三の距離であり、前記第三の距離は前記第二の幅の二倍であるメインボード組立体。
【請求項２０】
第四の拡張スロットを更に含み、前記第四の拡張スロットは、前記ベースボード上に配置され、前記第三の拡張スロットと前記第二のエッジとの間に位置される請求項１９に記載のメインボード組立体。
【請求項２１】
前記第一の距離及び前記第二の距離はそれぞれ４．２インチよりも大きく、前記第三の距離は５．０７２インチよりも大きい請求項１９に記載のメインボード組立体。
【考案の詳細な説明】
【技術分野】
【０００１】
本開示は、メインボード組立体及びメインボード組立体を含むサーバーに係わり、より具体的には、多数のライザーカードを備えたメインボード組立体及び該メインボード組立体を含むサーバーに関する。
【背景技術】
【０００２】
サーバーは、他のコンピュータに接続されるコンピュータであり、コンピュータからリクエストを受信し、コンピュータに応答する。コンピュータからのリクエストとしては、例えば、保存リクエスト、印刷リクエスト、及びアプリケーション動作リクエストが挙げられる。パーソナルコンピュータに類似するサーバーは、ＣＰＵ、メモリ、入力装置、及び出力装置を含む。ＣＰＵ、メモリ、入力装置、及び出力装置は、バスによって接続される。具体的には、バスにおけるノースブリッジチップがＣＰＵとメモリとを接続し、サウスブリッジチップが入力装置と出力装置とを接続する。サーバーはケース内に収容され、ケースの展開は、タワー型ケース、集積に焦点を当てているラックマウント型ケース、物理的空間とエネルギーの使用を最小にするブレード型ケースの三段階を経ている。
【０００３】
具体的には、ラックマウント型ケースは、標準化されたフレームに適応された標準化されたケースである。構造が最適化されたタワー型ケースであるラックマウント型ケースは、フレーム内でより小さい空間を占有することを特徴としている。ネットワークスイッチ、ルーター、及びファイヤウォール等の従来のインターネットサーバーは、ラックマウント型ケースに位置され、引き出しとしてフレームに押し込められるか、又はフレームから引き出される。ケースの高さは、「Ｕ」の単位で測定される。１Ｕは、１．７５インチ又は４４．４５ミリメートルに等しい。従来のケースは、１Ｕ乃至７Ｕの高さを有し、１Ｕ及び２Ｕの高さを有するケースが最も一般的である。一般的に、１Ｕのケース及び２Ｕのケースは、それぞれ第一の仕様及び第二の仕様のメインボードと一致する。メインボード間の仕様の差により、第一の仕様及び第二の仕様のメインボードは別々に開発及び製造されるため、開発と製造の費用が増加する。
【０００４】
更に、ＩＴ産業ではビッグデータ分析が重要である。ビッグデータとは、従来のデータ処理サーバーで取得、処理、分析するにはデータセットが大きすぎるか複雑すぎることを意味する。その結果、サーバーの能力は、商業トレンド、研究結果、病気のまん延、犯罪のホットスポット、及びトラフィック分析等、データセットをタイムリーに処理するために向上される必要がある。
【０００５】
しかしながら、インターフェイスカード用のケース内の空間や、インターフェイスカードの仕様は標準仕様によって制限されるため、サーバーの能力を向上させるためにより多くのインターフェイスカードを備えるための空間がケースにない。したがって、サーバー内の空間の利用を改善し、サーバーの開発及び製造費用を低減することが非常に重要となる。
【考案の概要】
【考案が解決しようとする課題】
【０００６】
本開示は、サーバー内の空間利用性を改善するメインボード組立体及びメインボード組立体を含むサーバーを提供することを目的とする。
【課題を解決するための手段】
【０００７】
本開示の第一の実施形態によると、標準拡張カード及び低プロフィール拡張カードの少なくとも一方を備えるサーバーが提供される。標準拡張カードは第一の幅を有し、低プロフィール拡張カードが第二の幅を有する。第一の幅は、第二の幅よりも大きい。サーバーは、ケース及びメインボード組立体を含む。ケースは、支持板、第一の側板、及び第二の側板を含む。第一の側板及び第二の側板は、互いと対向する支持板の二つの端部にそれぞれ接続される。メインボード組立体は、支持板上に配置される。メインボード組立体は、ベースボード、第一の拡張スロット、第二の拡張スロット、第三の拡張スロット、及び切替回路を含む。第一の拡張スロットは、ベースボード上に配置される。第二の拡張スロットはベースボード上に配置され、第一の拡張スロットは第二の拡張スロットと第一の側板との間に位置される。第三の拡張スロットはベースボード上に配置され、第二の拡張スロットは第一の拡張スロットと第三の拡張スロットとの間に位置される。切替回路は、第一の拡張スロット及び第二の拡張スロットに電気的に接続され、第一の拡張スロットと第二の拡張スロットとの間を切り替える。第二の拡張スロットと第一の側板との間は第一の距離であり、第一の拡張スロットと第三の拡張スロットとの間は第二の距離である。第一の距離及び第二の距離は、第一の幅よりも大きい。第一の拡張スロットと第三の拡張スロットとの間は第三の距離であり、第三の距離は第二の幅の二倍である。
【０００８】
本開示の第二の実施形態によると、標準拡張カード及び低プロフィール拡張カードの少なくとも一方を備えるサーバーが提供される。標準拡張カードは第一の幅を有し、低プロフィール拡張カードは第二の幅を有する。第一の幅は、第二の幅よりも大きい。サーバーは、ケース及びメインボード組立体を含む。ケースは、支持板、第一の側板、及び第二の側板を含む。第一の側板及び第二の側板は、互いと対向する支持板の二つの端部にそれぞれ接続される。メインボード組立体は、支持板上に配置される。メインボード組立体は、ベースボード、第一の拡張スロット、第二の拡張スロット、第三の拡張スロット、及び切替回路を含む。第一の拡張スロットは、ベースボード上に配置される。第二の拡張スロットはベースボード上に配置され、第一の拡張スロットは第二の拡張スロットと第一の側板との間に位置される。第三の拡張スロットはベースボード上に配置され、第二の拡張スロットは第一の拡張スロットと第三の拡張スロットとの間に位置される。切替回路は第一の拡張スロット及び第二の拡張スロットに電気的に接続され、第一の拡張スロットと第二の拡張スロットとの間を切り替える。第二の拡張スロットと第一の側板との間は第一の距離であり、第一の距離は第一の幅よりも大きい。
【０００９】
本開示の第三の実施形態によると、標準拡張カード及び低プロフィール拡張カードの少なくとも一方を備えるメインボード組立体が提供される。標準拡張カードは第一の幅を有し、低プロフィール拡張カードが第二の幅を有する。第一の幅は第二の幅よりも大きい。メインボード組立体は、ベースボード、第一の拡張スロット、第二の拡張スロット、第三の拡張スロット、及び切替回路を含む。ベースボードは、互いと対向する第一のエッジ及び第二のエッジを有し、第一のエッジはサーバーのケースの側板の近くに位置する。第一の拡張スロットは、ベースボード上に配置される。第二の拡張スロットはベースボード上に配置され、第一の拡張スロットは第二の拡張スロットと第一のエッジとの間に位置される。第三の拡張スロットはベースボード上に配置され、第二の拡張スロットは第一の拡張スロットと第三の拡張スロットとの間に位置される。切替回路は第一の拡張スロット及び第二の拡張スロットに電気的に接続され、第一の拡張スロットと第二の拡張スロットとの間を切り替える。第二の拡張スロットと第一のエッジとの間は第一の距離であり、第二の拡張スロットと第三の拡張スロットとの間は第二の距離である。第一の距離及び第二の距離は、第一の幅よりも大きい。第一の拡張スロットと第三の拡張スロットとの間は第三の距離であり、第三の距離は第二の幅の二倍である。
【００１０】
本開示のメインボード組立体によると、メインボード組立体の第二の拡張スロットと第一の側板との間の第一の距離は、第一の幅よりも大きい。したがって、第二の拡張スロットに挿入されたライザーカードは、標準拡張カード又は低プロフィール拡張カードに対して挿入可能である。
【００１１】
更に、メインボード組立体の第二の拡張スロットと第三の拡張スロットとの間の第二の距離は、第一の幅よりも大きい。第一の拡張スロットと第三の拡張スロットとの間の第三の距離は、第二の幅の二倍である。したがって、第三の拡張スロットに挿入されたライザーカードは、標準拡張カード又は低プロフィール拡張カードに対して挿入可能である。第三の拡張スロットに挿入されたライザーカードに低プロフィール拡張カードが挿入された場合、第一の拡張スロットに挿入されたライザーカードに追加的な低プロフィール拡張カードを挿入するために、追加的な空間が設けられる。その結果、サーバーにおける空間利用性が向上される。
【００１２】
更に、隣接する拡張スロット間の距離が制限されることにより、メインボード組立体は、１Ｕの高さを有するケース及び２Ｕの高さを有するケースに設置され得る。その結果、１Ｕのケース及び２Ｕのケースの両方に対するメインボードが一度に開発され得、それにより、メインボードの開発及び製造費用が低減される。
【図面の簡単な説明】
【００１３】
本開示は、以下の詳細な説明及び添付の図面からより良く理解されるであろう。添付の図面は例示目的のためだけに提供され、従って本開示を限定するものではない。
【図１】本開示の第一の実施形態による標準拡張カード及び低プロフィール拡張カードを備えるサーバーの概略図である。
【図２】図１に示すサーバーの分解図である。
【図３】図１に示すサーバーの上面図である。
【図４】図１に示すサーバーの正面図である。
【図５】本開示の第二の実施形態による低プロフィール拡張カードを備えるサーバーの概略図である。
【図６】図５に示すサーバーの分解図である。
【図７】図５に示すサーバーの上面図である。
【図８】図５に示すサーバーの正面図である。
【図９】標準拡張カード及び低プロフィール拡張カードを備える図５に示すサーバーの上面図である。
【考案を実施するための形態】
【００１４】
以下の詳細な説明では、説明目的のため、開示する実施形態を十分に理解するために多数の具体的な詳細が記載されている。しかしながら、一つ以上の実施形態がこれらの詳細を有することなく実施されてもよいことは明らかであろう。他の場合では、周知の構造及び装置は、図面を簡略化するために概略的に示される。
【００１５】
図１乃至図３を参照する。図１は、本開示の第一の実施形態による標準拡張カード及び低プロフィール拡張カードを備えるサーバーの概略図である。図２は、図１に示すサーバーの分解図である。図３は、図１に示すサーバーの上面図である。
【００１６】
第一の実施形態におけるサーバー１０は、標準拡張カード２０又は低プロフィール拡張カード３０を備える。例えば、標準拡張カード２０は、第一の幅Ｗ１を有する。第一の幅Ｗ１は、例えば４．２インチである。標準拡張カード２０は、長さが１２．２８３インチの長尺なカードと、長さが６．８７５インチの短尺なカードとに分けられる。低プロフィール拡張カード３０は第二の幅Ｗ２を有し、第一の幅Ｗ１は第二の幅Ｗ２よりも大きい。第二の幅Ｗ２は、例えば２．５３６インチである。低プロフィール拡張カード３０も、長さが６．６インチの長尺なカードと長さが４．７２インチの短尺なカードとに分けられる。
【００１７】
サーバー１０は、ケース１００、メインボード組立体２００、及びライザーカード組立体３００を含む。ケース１００は、支持板１１０、第一の側板１２０、及び第二の側板１３０を含む。第一の側板１２０及び第二の側板１３０は、互いと対向する支持板１１０の二辺にそれぞれ接続される。ケース１００の高さは、例えば、１Ｕ、２Ｕ、及び４Ｕに分けられる。第一の実施形態では、ケースの高さは２Ｕであり、つまり、ケース１００の高さは３．５インチであるが、本開示はこれに制限されない。
【００１８】
メインボード組立体２００は、支持板１１０上に配置される。メインボード組立体２００は、ベースボード２１０、第一の拡張スロット２２０、第二の拡張スロット２３０、第三の拡張スロット２４０、第四の拡張スロット２５０、及び切替回路２６０を含む。
【００１９】
ベースボード２１０は、互いと対向する第一のエッジ２１１と第二のエッジ２１２を有する。ベースボード２１０の第一のエッジ２１１は、ケース１００の第一の側板１２０の近くに位置し、ベースボード２１０の第二のエッジ２１２はケース１００の第二の側板１３０の近くに位置する。前述の用語「近くに位置する」とは、衝合している、或いは、非常に短い距離で離間されていることを意味する。
【００２０】
第一の拡張スロット２２０、第二の拡張スロット２３０、第三の拡張スロット２４０、及び第四の拡張スロット２５０は、例えばＰＣＩ−ｅポート又はＰＣＩポートであり、拡張スロット２２０、２３０、２４０、２５０は全てベースボード２１０上に配置されてもよい。第一の拡張スロット２２０は第二の拡張スロット２３０と第一の側板１２０との間に位置し、第二の拡張スロット２３０は第一の拡張スロット２２０と第三の拡張スロット２４０との間に位置する。第四の拡張スロット２５０は、第三の拡張スロット２４０と第二の側板１３０との間に位置する。
【００２１】
第一の実施形態では、第二の拡張スロット２３０と第一の側板１２０との間は第一の距離Ｄ１であり、第二の拡張スロット２３０と第三の拡張スロット２４０との間は第二の距離Ｄ２である。第一の実施形態では、第一の距離Ｄ１及び第二の距離Ｄ２は、第一の幅Ｗ１よりも大きい。更に、第一の拡張スロット２２０と第三の拡張スロット２４０との間は、第三の距離Ｄ３である。第一の実施形態では、第三の距離Ｄ３は第二の幅Ｗ２の二倍である。メインボード組立体２００及び切替回路２６０の上述のサイズ配置は、メインボード組立体２００が１Ｕの高さを有するケース、２Ｕの高さを有するケース、又は他の高さを有するケースに設置され動作される際に好ましい。詳細は後述する。
【００２２】
第二の拡張スロット２３０と第一の側板１２０との間の距離Ｄ１の配置だけでなく、第二の拡張スロット２３０と第三の拡張スロット２４０との間の距離Ｄ２の配置並びに第一の拡張スロット２２０と第三の拡張スロット２４０との間の距離Ｄ３の配置も第一の実施形態において提供されるが、本開示はこれに制限されない。本開示の他の実施形態では、第二の拡張スロット２３０と第一の側板１２０との間の距離だけが配置され、切替回路２６０を含むメインボード組立体２００も、１Ｕの高さを有するケース、２Ｕの高さを有するケース、又は他の高さを有するケースに設置及び動作され得る。
【００２３】
更に、第一の実施形態では、第四の拡張スロット２５０は、サーバー１０の拡張能力を更に向上させるために使用されるが、本開示はこれに制限されない。他の実施形態では、メインボード組立体２００に第四の拡張スロット２５０が設けられなくてもよい。
【００２４】
切替回路２６０は第一の拡張スロット２２０及び第二の拡張スロット２３０に電気的に接続され、切替回路は第一の拡張スロット２２０と第二の拡張スロット２３０との間で切り替えるために使用される。具体的には、第一の拡張スロット２２０及び第二の拡張スロット２３０の一方だけが一回に動作してもよく、切替回路２６０は、ケース１００の仕様に応じて第一の拡張スロット２２０又は第二の拡張スロット２３０のどちらが動作してよいかを決定する。例えば、メインボード組立体２００が１Ｕの高さを有するケースに設置される場合、第一の拡張スロット２２０に挿入されたライザーカードの機能が実施され得るよう、切替回路２６０は、第一の拡張スロット２２０が動作するよう決定する。メインボード組立体２００が２Ｕの高さを有するケースに設置される場合、第二の拡張スロット２３０に挿入されたライザーカードの機能が実施され得るよう、切替回路２６０は、第二の拡張スロット２３０が動作するよう決定する。
【００２５】
ライザーカード組立体３００は、第一のライザーカード３１０、第二のライザーカード３２０、及び第三のライザーカード３３０を含む。第一のライザーカード３１０は、第二の拡張スロット２３０に挿入される。第一の側板１２０に近い第一のライザーカード３１０の側部には、例えば二つの第一の電気接続ポート３１１が設けられる。第二のライザーカード３２０は、第三の拡張スロット２４０に挿入される。第一の側板１２０に近い第二のライザーカード３２０の側部には、例えば三つの第二の電気接続ポート３２１が設けられる。第三のライザーカード３３０は、第四の拡張スロット２５０に挿入される。第一の側板１２０から離れた第三のライザーカード３３０の側部には、例えば三つの第三の電気接続ポート３３１が設けられる。
【００２６】
第一の実施形態では、サーバー１０は、第一の電源４１０及び第二の電源４２０を更に含んでもよい。第一の電源４１０は第一の拡張スロット２２０と第二の側板１２０との間に位置してもよく、第二の電源４２０は第四の拡張スロット２５０と第二の側板１３０との間に位置してもよい。第四の拡張スロット２５０と第二の電源４２０との間は、第四の距離Ｄ４である。第四の距離Ｄ４は第二の幅Ｗ２よりも大きく、第一の幅Ｗ１よりも小さい。
【００２７】
図２乃至図４を参照する。図４は、図１に示すサーバーの正面図である。第一の実施形態では、第一の距離Ｄ１及び第二の距離Ｄ２はいずれも第一の幅Ｗ１（４．２インチ）よりも大きいため、二枚の標準拡張カード２０は第一のライザーカード３１０の第一の電気接続ポート３１１に挿入され得て、三枚の標準拡張カード２０は第二のライザーカード３２０の第二の電気接続ポート３２１に挿入され得る。更に、第四の距離Ｄ４は第二の幅Ｗ２よりも大きく、第一の幅Ｗ１よりも小さいため、三枚の低プロフィール拡張カード３０が第三のライザーカード３３０の第三の電気接続ポート３３１に挿入され得る。
【００２８】
図５乃至図７を参照する。図５は、本開示の第二の実施形態による低プロフィール拡張カードを備えるサーバーの概略図である。図６は、図５に示すサーバーの分解図である。図７は、図５に示すサーバーの上面図である。
【００２９】
第二の実施形態では、サーバー１０ａは、ケース１００ａ、メインボード組立体２００、及びライザーカード組立体３００ａを含む。第二の実施形態におけるメインボード組立体２００の構造は第三の実施形態によるメインボード組立体２００の構造に類似するため、第二の実施形態におけるメインボード組立体の構造は以降繰り返されない。
【００３０】
ケース１００ａは、支持板１１０、第一の側板１２０、及び第二の側板１３０を含む。第一の側板１２０及び第二の側板１３０は、互いと対向する支持板１１０の二辺にそれぞれ接続される。ケース１００の高さは、例えば、１Ｕ、２Ｕ、及び４Ｕに分けられる。第二の実施形態では、ケース１００ａの高さは１Ｕであり、つまり、ケースの高さは１．７５インチである。
【００３１】
ライザーカード組立体３００ａは、第一のライザーカード３１０ａ、第二のライザーカード３２０ａ、及び第三のライザーカード３３０ａを含んでもよい。第一のライザーカード３１０ａは、第一の拡張スロット２２０に挿入される。第一の側板１２０ａから離れた第一のライザーカード３１０ａの側部には、例えば第一の電気接続ポート３１１ａが設けられる。第二のライザーカード３２０ａは、第三の拡張スロット２４０に挿入される。第一の側板１２０に近い第二のライザーカード３２０ａの側部には、例えば三つの第二の電気接続ポート３２１ａが設けられる。第三のライザーカード３３０ａは、第四の拡張スロット２５０に挿入される。第一の側板１２０から離れた第三のライザーカード３３０ａの側部には、例えば三つの第三の電気接続ポート３３１ａが設けられる。
【００３２】
図６乃至図８を参照する。図８は、図５に示すサーバーの正面図である。第二の実施形態では、第三の距離Ｄ３は第二の幅Ｗ２（２．５３６インチ）の二倍であるため、一枚の低プロフィール拡張カード３０は第一のライザーカード３１０ａの第一の電気接続ポート３１１ａに挿入され得て、別の低プロフィール拡張カード３０も第二のライザーカード３２０ａの第二の電気接続ポート３２１ａに挿入され得る。更に、第四の距離Ｄ４は第二の幅Ｗ２よりも大きく、第一の幅Ｗ１よりも小さいため、他の低プロフィール拡張カード３０が第三のライザーカード３３０ａの第三の電気接続ポート３３１ａに挿入され得る。
【００３３】
図８では、二枚の低プロフィール拡張カード３０は第一のライザーカード３１０ａ及び第二のライザーカード３２０ａにそれぞれ挿入されるが、本開示はこれに制限されない。図９を参照する。図９は、標準拡張カード及び低プロフィール拡張カードを備える図５に示すサーバーの上面図である。図９に示すように、第二の距離Ｄ２は第一の幅Ｗ１（４．２インチ）よりも大きいため、第二のライザーカード３２０ａの接続ポート３２１ａに挿入された低プロフィール拡張カード３０は一枚の標準拡張カード２０と置き換えられ得る。つまり、第二のライザーカード３２０ａは、標準拡張カード２０或いは低プロフィール拡張カード３０に適応され得る。更に、第四の距離Ｄ４は第二の幅Ｗ２よりも大きく第一の幅Ｗ１よりも小さいため、他の低プロフィール拡張カード３０が第三のライザーカード３３０ａの第三の電気接続ポート３３１ａに挿入され得る。
【００３４】
サーバー１０及び１０ａの構造の上述の説明によると、サーバー１０ａが１Ｕの高さを有するケース１００ａに設置された場合、三枚の低プロフィール拡張カード３０、或いは標準拡張カード２０と低プロフィール拡張カード３０が、同時にサーバー１０ａに挿入され得る。サーバー１０が２Ｕの高さを有するケースに設置された場合、五枚の標準拡張カード２０と三枚の低プロフィール拡張カード３０、或いは八枚の低プロフィール拡張カード３０が、同時にサーバー１０に挿入され得る。しかしながら、本開示は、同時にサーバーに挿入された標準拡張カード及び低プロフィール拡張カードの数に制限されない。更に、１Ｕの高さを有するケース１００ａ及び２Ｕの高さを有するケース１００に設置されることができる他、メインボード組立体２００の構造は、サーバー１０における標準拡張カード２０及び低プロフィール拡張カード３０のより可能な配置を提供する。
【００３５】
本開示のメインボード組立体及びサーバーによると、メインボード組立体の第二の拡張スロットと第一の側板との間の第一の距離は、第一の幅よりも大きい。したがって、第二の拡張スロットに挿入されたライザーカードは、標準拡張カード又は低プロフィール拡張カードについて挿入可能である。
【００３６】
更に、メインボード組立体の第二の拡張スロットと第三の拡張スロットとの間の第二の距離は、第一の幅よりも大きい。第一の拡張スロットと第三の拡張スロットとの間の第三の距離は、第二の幅の二倍である。したがって、第三の拡張スロットに挿入されたライザーカードは、標準拡張カード又は低プロフィール拡張カードについて挿入可能である。低プロフィール拡張カードが第三の拡張スロットに位置するライザーカードに挿入されると、第一の拡張スロットに位置するライザーカードに追加的な低プロフィール拡張カードを挿入するために、追加的な空間量がサーバーに設けられる。その結果サーバー内の空間利用性が向上される。
【００３７】
更に、隣接する拡張スロット間の距離の配置により、メインボード組立体は１Ｕの高さを有するケース及び２Ｕの高さを有するケースに設置され得る。その結果、１Ｕケース及び２Ｕケースのそれぞれに対するメインボードが一挙に開発され得て、メインボードの開発及び製造費用が低減される。
【図１】
0003204552.tif 000003
【図２】
0003204552.tif 000004
【図３】
0003204552.tif 000005
【図４】
0003204552.tif 000006
【図５】
0003204552.tif 000007
【図６】
0003204552.tif 000008
【図７】
0003204552.tif 000009
【図８】
0003204552.tif 000010
【図９】
0003204552.tif 000011